【事件の表示】
　上記当事者間の登録第４４９５２５４号商標の登録取消審判事件について、次のとおり審決する。
【結　論】
　本件審判の請求は、成り立たない。
　審判費用は、請求人の負担とする。
【理　由】
１　本件商標
　本件登録第４４９５２５４号商標（以下「本件商標」という。）は、「ＣＥＮＴＩＬＬＩＡＮ」の欧文字及び「センティリアン」の片仮名を上下二段に表してなり、平成１２年８月１８日に登録出願、第３類「せっけん類，香料類，化粧品，歯磨き」を指定商品として、同１３年８月３日に設定登録されたものである。
２　請求人の主張
　請求人は、商標法第５０条第１項の規定により、本件商標の指定商品中、第３類「せっけん類，化粧品」についての登録を取り消す、審判費用は被請求人の負担とする、との審決を求め、その理由を要旨以下のように述べ、証拠方法として甲第１号証を提出した。
（１）請求の理由
　本件商標は、本件審判の請求の登録前３年以内（平成２９年（２０１７年）９月２５日から令和２年（２０２０年）９月２４日まで。以下「要証期間」という。）に、日本国内において、商標権者、専用使用権者又は通常使用権者のいずれによっても、その指定商品中第３類「せっけん類，化粧品」について使用されていないから、商標法第５０条第１項の規定により取り消されるべきである。
（２）被請求人の答弁に対する弁駁
　請求人は、以下３の被請求人の主張に対し、弁駁をしていない。
３　被請求人の主張
　被請求人は、結論同旨の審決を求め、その理由を要旨以下のように述べ、証拠方法として乙第１号証ないし乙第１２号証を提出した。
（１）ア　ノーワン銀座のホームページのトップページ（乙１、画像１）には、「Ｂｌｏｇ／スタッフブログ」、「ＣＥＮＴＩＬＬＩＡＮ／ＥＸ−１０１」等のリンクボタンがあるところ、その「Ｂｌｏｇ／スタッフブログ」のリンクボタンから表示される「ＮＯＷＡＮ　ＳＴＡＦＦ　ＢＬＯＧ」には、２０１８年２月１９日の記載（乙１、画像５）があるから、遅くとも同日には開設、公開され、現在まで公開されている。
　なお、ノーワン銀座のホームページは、株式会社ノーワン２１が開設しているものであり、同社は、本件商標権者の子会社である株式会社イーエルティの子会社であって、本件商標権者の孫会社であり、本件商標の使用を黙示で許諾し使用を継続させている。
　イ　「ＮＯＷＡＮ　ＳＴＡＦＦ　ＢＬＯＧ」の２０２０年５月１８日付けの記事（乙１、画像８）には、「ＣＡ　ＢＢクリーム」の表示があり、それをクリックすると表示されるページには、「ＣＡサンスクリーンベースＩ」の商品写真が掲載（乙１、画像１０）されているところ、同商品には本件商標の「ＣＥＮＴＩＬＬＩＡＮ」の標章が付されている。また、「ＣＡリキッドファンデーションＩ　１０」、「ＣＡリキッドファンデーションＩ　２０」、「ＣＡリキッドファンデーションＩ　３０」、「ＣＡ　ＢＢクリーム」、「ＣＡ　ＢＢクリームＩＩ」の商品写真（乙１、画像１１、画像１２）にも、「ＣＥＮＴＩＬＬＩＡＮ」の標章が付されている。
　したがって、上記ブログが書き込まれた２０２０年５月１８日の時点で、上記画像が公開され、化粧品を内容とする情報に本件商標の「ＣＥＮＴＩＬＬＩＡＮ」の標章を付して電磁的方法により提供しているといえる。
　ウ　ノーワン銀座のホームページには、「ＣＡフォームＥＸ−１０１」のレギュラーとサロン仕様の２種類の商品（乙１、画像１４）が掲載されているところ、それらの商品には「ＣＥＮＴＩＬＬＩＡＮ」の標章が付されており、これらの商品は石鹸タイプの洗顔料である。
　したがって、せっけん類を内容とする情報に本件商標の「ＣＥＮＴＩＬＬＩＡＮ」の標章を付して電磁的方法により提供しているといえる。
　また、同ページ内に掲載された「ＣＡクレンジング＆マッサージＥＸ−１０１」、「ＣＡローションＥＸ−１０１」、「ＣＡエッセンスジェルＥＸ−１０１」、「ＣＡジェルクリームＥＸ−１０１」、「ＣＡモイストパックＥＸ−１０１」、「ＣＡ　ＥＸ−１０１携帯セットＩＩ」の商品（乙１、画像１５〜画像１７）にも、「ＣＥＮＴＩＬＬＩＡＮ」の標章が付されている。
　エ　以上のとおり、本件商標の通常使用権者である株式会社ノーワン２１が、ノーワン銀座のホームページにより、本件商標を、要証期間に、その指定商品である第３類「せっけん類，化粧品」を内容とする情報に付して電磁的方法により提供したといえる。
（２）Ｗａｙｂａｃｋ　Ｍａｃｈｉｎｅに記録された、２０１９年３月２３日付けのノーワン銀座のホームページ（ｈｔｔｐ：／／ｗｗｗ．ｎｏｗａｎ．ｊｐ／ｅｘ１０１／ｅｘ１０１．ｈｔｍｌ）の画像には、「ＣＥＮＴＩＬＬＩＡＮ」の文字が掲載され、「ＣＡフォームＥＸ−１０１」（石鹸タイプの洗顔料）、「ＣＡクレンジング＆マッサージＥＸ−１０１」、「ＣＡローションＥＸ−１０１」の商品にも、「ＣＥＮＴＩＬＬＩＡＮ」の標章が付されている（乙２、画像２〜画像５）。
　したがって、２０１９年３月２３日の時点で、せっけん類及び化粧品を内容とする情報に、本件商標の「ＣＥＮＴＩＬＬＩＡＮ」の標章を付して、電磁的方法により提供しているといえる。
　以上のとおり、本件商標の通常使用権者である株式会社ノーワン２１が、ノーワン銀座のホームページにより、本件商標を、要証期間に、その指定商品である第３類「せっけん類，化粧品」を内容とする情報に付して電磁的方法により提供したといえる。
（３）「ＩＮＴＥＲＮＡＴＩＯＮＡＬ　ＣＯＳＭＥＴＩＣＳ　ＣＥＮＴＩＬＬＩＡＮ　Ｎｏｗａｎ　ＳＫＩＮＣＡＲＥ　ＣＡＴＡＬＯＧ」のパンフレット（乙３）は、表紙に「ＣＥＮＴＩＬＬＩＡＮ」の文字を表示しており、「ＣＡフォームＥＸ−１０１」（洗顔料）、「ＣＡクレンジング＆マッサージＥＸ−１０１」、「ＣＡローションＥＸ−１０１」（化粧品）ほか多数の商品写真が、ケースに「ＣＥＮＴＩＬＬＩＡＮ」の標章を付した状態で、価格とともに掲載されている。
　そして、上記パンフレットとサイズ及び形状が一致する「２１０×４２０　２つ折りパンフレット修正」に関する請求書の写し（乙４）は、２０２０年２月２８日付けで、株式会社ノーワン２１宛てに代金請求があったことを示しているから、上記パンフレットは、同日前後に納品されたといえる。
　以上のとおり、本件商標の通常使用権者である株式会社ノーワン２１が、上記パンフレットにより、本件商標を、要証期間に、その指定商品である第３類「せっけん類，化粧品」に関する広告に付して頒布したといえる。
（４）「ＣＥＮＴＩＬＬＩＡＮ　ＩＮＴＥＲＮＡＴＩＯＮＡＬ　ＣＯＳＭＥＴＩＣＳ　ＳＰＥＣＩＡＬ　ＣＡＲＥ　ＣＯＬＬＥＣＴＩＯＮ」のパンフレット（乙５）は、表紙に「ＣＥＮＴＩＬＬＩＡＮ」の文字を表示しており、「フォームＥＸ−１０１」（洗顔料）、「クレンジング＆マッサージＥＸ−１０１」、「ローションＥＸ−１０１」（化粧品）ほか多数の商品写真が、ケースに「ＣＥＮＴＩＬＬＩＡＮ」の標章を付した状態で、価格とともに掲載されている。
　そして、上記パンフレットと形状が一致する「ジャバラ折りパンフレットデザイン代」に関する請求書の写し（乙６）は、２０１８年２月２８日付けで、株式会社イーエルティ宛てに代金請求があったことを示しているから、上記パンフレットは、同日前後に納品されたといえる。
　なお、株式会社イーエルティは、本件商標権者の子会社であり、本件商標の使用を黙示で許諾し、使用を継続させている。
　以上のとおり、本件商標の通常使用権者である株式会社イーエルティが、上記パンフレットにより、本件商標を、要証期間に、その指定商品である第３類「せっけん類，化粧品」に関する広告に付して頒布したといえる。
（５）販売した化粧品等を入れて購入者に手渡す手提袋（乙７）には、下部中央に「ＣＥＮＴＩＬＬＩＡＮ」の標章が付されている。
　そして、「０１年０９月１９日」を納品日とする納品書（乙８）には、品番・品名として、「５０９９９０１２１　ＣＥＮＴＩＬＬＩＡＮ　手提袋　中」の記載がある。また、「１年９月１９日」を受付日とする配送伝票（乙９）には、お届日として「９月２０日」の記載があり、品名として「ＣＥＮＴＩＬＬＩＡＮ様　手提袋（中）　３０００枚」の記載がある。
　したがって、上記手提袋が、令和元年９月１９日又は２０日に、株式会社イーエルティに納品され、その後、それらの手提袋が包装の一種として使用されたといえる。
　以上のとおり、本件商標の通常使用権者である株式会社イーエルティが、本件商標を、要証期間に、その指定商品である第３類「せっけん類，化粧品」を入れて購入者に手渡す包装の一種である手提袋に付したといえる。
（６）売上日として「２０２０／５／２１」の記載がある納品書（乙１０）には、納品した商品名として、「センティリアン　ローションＥＸ−１０１」，「センティリアン　ジェルクリームＥＸ−１０１」，「センティリアン　フォームＥＸ−ｌ０ｌ（Ｒ）」等の記載がある。
　したがって、上記の化粧品やせっけん類が、２０２０年５月２１日に納品されており、それらの商品には「センティリアン」の標章が付されていたといえる。
　このように、本件商標の通常使用権者である株式会社イーエルティが、本件商標を、要証期間に、その指定商品である第３類「せっけん類，化粧品」に付したものを、引き渡したといえる。
（７）市場出荷判定記録（乙１１）には、判定日として「２０１９年８月２０日」、確認日として「２０１９年８月２１日」、品名として「センティリアン　フォームＥＸ−１０１」（せっけん類）の記載があり、出荷判定結果は「可」とされている。
　したがって、「センティリアン」の標章が付されたせっけん類に該当する商品が、２０１９年８月２１日以降に市場に出荷されたといえる。
（８）市場出荷判定記録（乙１２）には、判定日として「２０２０年７月２９日」、確認日として「２０２０年７月２９日」、品名として「センティリアン　スキンクリームＥＸ−Ｉ」の記載があり、出荷判定結果は「可」とされている。
　したがって、「センティリアン」の標章が付された化粧品が、２０２０年７月２９日以降に市場に出荷されたといえる。
（９）以上のとおり、本件商標は、要証期間に、日本国内において、商標権者、専用使用権者又は通常使用権者によって、その指定商品である第３類「せっけん類，化粧品」について使用された。
４　当審の判断
（１）被請求人の主張及び提出証拠によれば、以下の事実が認められる。
　ア　株式会社イーエルティが作成したとされる「ＣＥＮＴＩＬＬＩＡＮ　ＩＮＴＥＲＮＡＴＩＯＮＡＬ　ＣＯＳＭＥＴＩＣＳ／ＳＰＥＣＩＡＬ　ＣＡＲＥ　ＣＯＬＬＥＣＴＩＯＮ」のパンフレットには、「フォームＥＸ−１０１」（石鹸タイプの洗顔料。以下「本件使用商品１」という）、「ローションＥＸ−１０１」（水分と皮脂のバランスを整え、肌を正常に保つ、化粧用ローション。以下「本件使用商品２」という。）、「ジェルクリームＥＸ−１０１」（肌の潤いを保ち、乾燥を防ぐ、化粧用ジェル。以下「本件使用商品３」という。）が掲載されており、それぞれの商品の容器側面には、「ＣＥＮＴＩＬＬＩＡＮ」の文字（以下「本件使用商標」という。）が表示されている（乙５）。
　イ　株式会社イーエルティが作成した「納品書」には、「２０２０年５月２１日」を売上日として、「センティリアン」の「ローションＥＸ−１０１」、「ジェルクリームＥＸ−１０１」、「フォームＥＸ−１０１（Ｒ）」を含む複数の商品が、取引先に納品されたことが記載されている（乙１０）。
　ウ　株式会社イーエルティは、本件商標権者の関係会社であり、同社に対して、本件商標権者は本件商標の使用を黙示で許諾している（被請求人の主張。請求人からの反論はない。）。
（２）上記で認定した事実によれば、以下のとおり判断できる。
　ア　本件商標の通常使用権者とされる株式会社イーエルティは、本件商標と社会通念上同一の商標（「センティリアン」の称呼を共通にし、文字表示を相互に変更するもの。）である本件使用商標を包装に付した本件使用商品１ないし本件使用商品３を、要証期間内である２０２０年５月２１日前後の時期に、取引先に対し、譲渡又は引渡しをしたことが認められる。
　イ　本件使用商品１ないし本件使用商品３は、それぞれ洗顔料、化粧用ローション又は化粧用ジェルであるから、本件商標の指定商品中「せっけん類，化粧品」に属する商品と認められる。
　ウ　以上によれば、本件商標の通常使用権者は、要証期間に、本件商標と社会通念上同一の商標を包装に付した、その指定商品中「せっけん類，化粧品」に属する本件使用商品１ないし本件使用商品３を、譲渡又は引渡ししたこと（商標法第２条第３項第２号）が認められる。
（３）まとめ
　以上のとおり、被請求人は、要証期間に、日本国内において、本件商標の通常使用権者が、その指定商品中、第３類「せっけん類，化粧品」について、本件商標と社会通念上同一の商標を使用していたことを証明したものと認められる。
　したがって、本件商標の「せっけん類，化粧品」についての登録は、商標法第５０条の規定により、取り消すことができない。
　よって、結論のとおり審決する。